(57)【要約】【課題】打撃時の抵抗を極力少なくでき、ゴルフボールを載せた状態で地中に容易に突き刺すこともできるゴルフティーを提供する。【解決手段】ゴルフティー１は、先端部が尖ったティー本体２と、ティー本体２の上部に設けられた外側ボール支持部３と内側ボール支持部４とを備える。外側ボール支持部３は、環状に等間隔に配置された細く長い可撓性の複数の外支柱３２からなる。内側ボール支持部４は、外側ボール支持部３とは別体であって、外支柱３２の内側に配置された外支柱３２よりも長さが短い複数の内支柱４２からなる。ショット時のゴルフボールを、内支柱４２から浮かせた状態で、複数の外支柱３２の先端部で支持する一方、内支柱４２上にゴルフボールを載せてゴルフティー１を地面に突き刺す時は、ゴルフボールを介した下向きの力が内支柱４２にかかり、外支柱３２には殆どかからない。【選択図】図３
2017169670.tif 000002
【特許請求の範囲】
【請求項１】
ティー本体と外側ボール支持部と内側ボール支持部とを備えたゴルフティーであって、
前記ティー本体は、先端部が尖った脚部と、この脚部の上部に一体的に形成された支柱受け部とからなり、
前記外側ボール支持部は、前記支柱受け部の上面から平面視放射状に伸びる複数の可撓性の外支柱を備え、
前記内側ボール支持部は、前記外側ボール支持部とは別体であって、前記外支柱群の内側に配置された直立する内支柱を複数備え、
ショット時のゴルフボールを、前記内支柱から浮かせた状態で、複数の前記外支柱の先端部で支持する一方、前記内支柱上にゴルフボールを載せて前記脚部を地面に突き刺す時は、ゴルフボールを介した下向きの力が前記内支柱にかかり、前記外支柱には殆どかからないことを特徴とするゴルフティー。
【請求項２】
前記外側ボール支持部は成形後、インサート成形により前記ティー本体と一体化することを特徴とする請求項１に記載のゴルフティー。
【請求項３】
複数の前記外支柱の下方に連設する外支柱基部は略筒状であり、前記内側ボール支持部と一体成形された前記ティー本体が前記外支柱基部に挿通し結合されたことを特徴とする請求項１に記載のゴルフティー。
【請求項４】
前記外支柱は、前記支柱受け部から突き出ている長さが略１０．０ｍｍ且つ上端面の径が略０．６ｍｍ且つ根元部分の径が略１．２ｍｍであり、
前記内支柱の先端は、前記外支柱の先端の略３．０〜４．０ｍｍ下方にあることを特徴とする請求項１〜３のいずれか１に記載のゴルフティー。
【発明の詳細な説明】
【技術分野】
【０００１】
打撃時の抵抗を極力少なくでき、ゴルフボールを載せた状態で地中に容易に突き刺すこともできるゴルフティーに関する。
【背景技術】
【０００２】
ゴルフプレイにおいて、第１打をショットする際、ゴルフティーにボールを載せてショットするが、従来のゴルフティーは、先端部が尖った脚部とボールを載せる頂部とが一体となったものが多く使用されていた。しかし、この種のゴルフティーでは、ボールがヒットされる際にティーとボールとの接触領域で反発力並びに摩擦力（以下、「抵抗」という）が生じ、その分飛距離が減少するという問題があった。
【０００３】
この問題に鑑み近年、図１２の１００に示すようなゴルフティーが考案されるようになった。即ち、ボールとゴルフティーとの接触領域からくる抵抗を軽減するために、頂部の上面に先端面の径が１〜２ｍｍ程度の細さの支柱１０１を６〜８本程度形成する。そして、この支柱の上にボールを載せた状態でヒットできるようにする。ボールと接触する支柱の先端部の面積は非常に小さく、従ってボールとゴルフティーとは従来の面接触から点接触になったも同然となり、ボールとゴルフティーとの接触領域から生ずる抵抗が大幅に低減された。このようにゴルフボールを面ではなく点で支えることにより抵抗を軽減し飛距離を伸ばすことができるゴルフティーが種々考案され、特許文献１〜２を含め多数の特許出願、実用新案登録出願がなされている。
【０００４】
特許文献１には、硬質材料から形成される固定部材と、軟質材料から形成される可動部材とから構成され、可動部材の上端部が複数の支柱に分割されるボール支承部を有し、固定部材の上端部には凹曲面状のボール当接面を有する「ゴルフティ」が開示されている。
このゴルフティーを、ボールを介して地面に差し込む際、ボール支承部を押し開いてボール当接面にボールを当接した状態でボールに下向きの圧力を加えることで円滑且つ容易に差し込むことができる。
しかし、ティーショット時にもボールは、ボール支承部だけではなく、ボール当接面にも当接している（図７参照）。つまり、ボール当接面も常にボールと接触しているので、打撃時の抵抗となり、飛距離を減少させることになる。この抵抗を軽減させるために、ティーショットの際には固定部材と可動部材とをスライドさせて、なるべくボール支承部のみでボールを支持させようとしている（図６（ｂ）参照）。
特許文献１に開示されているゴルフティーは、ボール当接面があることによって地面への突き刺しが容易になるが、一方でショット時には抵抗を生ずる原因となる。この抵抗を減ずるために上下にスライドさせる手段を有しているが、これは複雑な構造であり、ゴルフティーのように安価な製品の実用化には適さない。
【０００５】
特許文献２には、可撓性の複数の支持片を一体的にボール載せ部上部に設け、この支持片によってゴルフボールを浮いた状態で支持するとともに、この支持片の内側にも複数の内側支持片を設け、ゴルフボールの最底辺部を内側支持片によって支持する「ゴルフティ」が開示されている。つまり、ティーショットのためにティーにボールを載せたときに、外側の支持片と内側の支持片の両者によってボールを安定した状態でしっかりと支持しようとするものである。しかし、ボールは複数の内側支持片にも接触しているので、その分ティーショット時の抵抗を生じ、飛距離を減少させることになる。そのための対策として、ティーショットの衝撃を利用してボール載せ部を上方にスライドさせ、外側の支持片でのみボールを支持するような構造にしているが、内側支持片との抵抗を完全に無くすことは難しい。
また、特許文献２に開示されているゴルフティーは、ボール載せ部の下部周囲に掴み部が形成され、この部分を手指で持って地面に突き刺すようにしている。しかし、女性などの非力な人にとってスムーズに突き刺すことは難しい。
【先行技術文献】
【特許文献】
【０００６】
【特許文献１】特開２００７−１３０３３９号公報
【特許文献２】特開２００７−３０１２６７号公報
【発明の概要】
【発明が解決しようとする課題】
【０００７】
特許文献１のゴルフティーのボール当接面は、地面に突き刺す際にボールを介してかかる圧力を受ける役割とショット時にボール支承部とともにボールを支持する役割を果たしている。しかし、ボール当接面は圧力を受ける役割のみを果たし、ボール支承部だけでボールを支持するようにすればショット時の抵抗が減少する。  特許文献２のゴルフティーは、環状の支持片が二重になっていて、ショット時には二重の支持片でボールを支持するので抵抗によって飛距離が減少する。もし外側の支持片のみでボールを支持するようにすれば抵抗が減少する。また、内側の支持片に圧力を受ける役割を持たせるならば、地面にティーを突き刺すことが容易になる。  上記のような題点に鑑み本発明は、ショット時にボールを支持する役割と地面に突き刺す際にボールを介してかかる圧力を受ける役割とを別々の部位に持たせるゴルフティーの提供を課題とする。
【課題を解決するための手段】
【０００８】
前記目的を達成するため、請求項１にかかる発明は、
ティー本体と外側ボール支持部と内側ボール支持部とを備えたゴルフティーであって、
前記ティー本体は、先端部が尖った脚部と、この脚部の上部に一体的に形成された支柱受け部とからなり、
前記外側ボール支持部は、前記支柱受け部の上面から平面視放射状に伸びる複数の可撓性の外支柱を備え、
前記内側ボール支持部は、前記外側ボール支持部とは別体であって、前記外支柱群の内側に配置された直立する内支柱を複数備え、
ショット時のゴルフボールを、前記内支柱から浮かせた状態で、複数の前記外支柱の先端部で支持する一方、前記内支柱上にゴルフボールを載せて前記脚部を地面に突き刺す時は、ゴルフボールを介した下向きの力が前記内支柱にかかり、前記外支柱には殆どかからないことを特徴とする。
【０００９】
一般に、ボールを載せる支柱は、短くて太いとショット時には抵抗があるので、細くて長い支柱が望まれる。ことに最近では、体積が４６０ｃｃを超えるような大型のヘッド部を有するゴルフクラブが続々と発売されている。このようなヘッドの大型化に対応するためには、クラブの芯でゴルフボールを捉えるには、支柱の長さは１０ｍｍ以上が理想とされている。
しかし、細く長い支柱には問題もある。すなわち、ゴルフティーを地中に突き刺す際にボールを支柱の上に載せた状態で動作をする人が多く、ゴルフティーを突き刺すための力がボールを介して支柱にかかると、支柱が復元不可能なまでに変形するおそれがあるという問題である。これを防ぐためには逆に、「太く短い支柱」でなければならない。
本発明のゴルフティーはこの問題を、外支柱と内支柱を別個に成形し、ショット時にボールを支持する役割を外支柱に持たせ、地面に突き刺す時に圧力を受ける役割を内支柱に持たせることにより解決した。このように役割を別々に持たせたことにより、外支柱と内支柱はそれぞれの役割にふさわしい素材と形状と寸法を採用することができる。つまり、外支柱については、長さが１０ｍｍ以上ある細く長い支柱を実装する。一方、内支柱については、外支柱とは別体なので、以下の２点のみを考慮すればよい。即ち、ティー刺し込み時のゴルフボールを介して加えられる圧力に耐えられる性能を持たせること、及び長さを外支柱よりも短くして、ショット時にゴルフボールに触れないようにすることである。
【００１０】
請求項２に係る発明は、請求項１に記載のゴルフティーにおいて、前記外側ボール支持部は成形後、インサート成形により前記ティー本体と一体化することを特徴とする。
インサート成形なので、外側ボール支持部とティー本体とは取付の手間がかからず、しかも強固に結合する。外側ボール支持部はティーショット時にゴルフクラブによる大きな力が加えられティー本体から跳ね飛ばされ紛失するおそれがある。しかし、インサート成形で強固に固着されているのでこのような恐れはない。
【００１１】
請求項３に係る発明は、請求項１に記載のゴルフティーにおいて、複数の前記外支柱の下方に連設する外支柱基部は略筒状であり、前記内側ボール支持部と一体成形された前記ティー本体が前記外支柱基部に挿通し結合されていることを特徴とする。
内側ボール支持部もティー本体も柔軟性は要求されず硬くて高強度であることが望まれる。そのため、両者に同一の素材を使用でき、一体成形が可能である。この一体成形品を別個に成形した外側ボール支持部に取り付けることで本発明のゴルフティーが作成できる。２個の成形品を組み立てればよいので、費用も手間も削減できる。
【００１２】
請求項４に係る発明は、請求項１〜４のいずれか１に記載のゴルフティーにおいて、前記外支柱は、前記支柱受け部から突き出ている長さが略１０．０ｍｍ、上端面の径が略０．６ｍｍ、且つ根元部分の径が略１．２ｍｍであり、
前記内支柱の先端は、前記外支柱の先端の略３．０〜４．０ｍｍ下方にあることを特徴とする。
従来の市販品であって本発明のように支柱でゴルフボールを支えるティーでは、支柱の長さが概ね５．０ｍｍ且つ上端面の径が概ね１．２ｍｍ程度であった。この従来品に比べて、本発明は長さが約２倍あるので、あたかも芝草の上に載せたゴルフボールをヒットするのと同様な感覚でヒットできる。また、ボールに接触する外支柱の先端部分の面積が小さいので、ゴルフボールを載せても、接触抵抗が低減し飛距離の減少を抑えることができる。
さらに、ティーショット時に複数の外支柱の先端部に載せたゴルフボールが内側ボール支持部に接触しないようにしているため、ゴルフクラブと内側ボール支持部との抵抗が発生せず、飛距離に影響を与えない。
【発明の効果】
【００１３】
外支柱と内支柱とを別体とした。即ち、外支柱にはショット時にボールを載せるだけの機能に特化させ、内支柱にはゴルフティーを地面に突き刺す際に圧力を受けるだけの機能に特化させた。その結果、外支柱を従来よりも長く且つ細くできるので、ショット時の抵抗を小さくできる。またショット時には、ボールは内支柱に接触すらしないので、これによる抵抗は生じない。つまり、本発明はゴルファーにとって理想のゴルフティーを提供できる。
【図面の簡単な説明】
【００１４】
【図１】実施の形態のゴルフティーの正面図である。
【図２】実施の形態のゴルフティーのティー本体上部の支柱受け部の部分断面図である。
【図３】実施の形態のゴルフティーを構成する各部の斜視図である。
【図４】実施の形態の外支柱の望ましい寸法を説明する図である。
【図５】実施の形態のゴルフティーの平面図である。
【図６】実施の形態のゴルフティーの（１）図５のＸ−Ｘ断面図、（２）図５のＷ−Ｗ断面図である。
【図７】実施の形態のゴルフティーを地面に突き刺す状態を説明する図である。
【図８】実施の形態のゴルフティーが外支柱の先端部でゴルフボールを支持する状態を説明する図である。
【図９】内支柱が２重円上に並ぶ変形例の平面図である。
【図１０】内支柱の変形例の（１）斜視図、（２）台座部に装着した状態の平面図である。
【図１１】他の実施の形態のゴルフティーの（１）部分断面図、（２）正面図である。
【図１２】従来からある、支柱の先端部でゴルフボールを支持するタイプのゴルフティーを例示する図である。
【発明を実施するための最良の形態】
【００１５】
本発明の実施の形態のゴルフティー１について、図面を参照しながら説明する。
なお、以下の説明において、「上方」あるいは「上面」といった表現をするときの「上」とは、ゴルフティーの機能上の上方をいう。即ち、ゴルフティーは、地面あるいは芝に一方の先端部を突き刺し、他方の先端部にゴルフボールを載せて用いるが、以下の説明では、ゴルフボールを載せる側を「上」、地中に突き刺す側を「下」と表現している。
【００１６】
ゴルフティー１は、図１及び図２に示すように、ティー本体２と、外側ボール支持部３と、内側ボール支持部４とから構成される。
【００１７】
ティー本体２は、下方の脚部２１と上方の支柱受け部２２とが一体に形成されている。
脚部２１は、地面あるいは芝に容易に突き刺せるように下端部が先細に尖っている。
支柱受け部２２には、図２に示すように、外側ボール支持部３を装着する外支柱接続部２２１と、内側ボール支持部４を嵌め込む環状溝２２２と、空洞部２２３が形成されている。環状溝２２２の内周面であって内側ボール支持部４の外周面と当接する箇所には凹溝部２２２ａが形成されている。
ティー本体２の材質は、脚部２１が地面等に刺し込まれることから、強度があり加工の容易な各種合成樹脂等が適当である。
【００１８】
支柱受け部２２には、ボール支持部が装着される。ボール支持部には機能及び材質の異なる外側ボール支持部３と内側ボール支持部４の２種類がある。
【００１９】
外側ボール支持部３は、図３に示すように、環状の外支柱基部３１と、この外支柱基部３１から上方に向かって細くなる８本の外支柱３２とが一体に形成されている。図４に示すように外支柱３２の先端部の径は０．６ｍｍ程度であり、根元部分の径は１．２ｍｍ程度である。ティーアップ時にゴルフボールは、８本の外支柱３２の先端部で支えられるが、面積がきわめて小さいのでゴルフボールは点接触の状態でゴルフティー１に支持される。また、上方に突き出た外支柱３２の長さは概ね１０．０ｍｍであり、ゴルファーにとって理想的な高さでゴルフボールを支持できる。外支柱３２は、ティー本体２の軸に対して外側に傾いているが、これはショット時の抵抗を小さくするためである。また、８本の外支柱３２によって支持されるゴルフボールに均等な力を作用させるために、すべての外支柱３２の傾斜角は等しくする。
外側ボール支持部３には、細くても十分に強靭であって変形からの復元力が強く且つ柔軟性に富む合成樹脂などが適している。ゴルフボールを載せたときに折れたりせず、ゴルフボールの重みで、変形しても元の状態にただちに復元でき、かつ、ゴルフクラブが当たっても抵抗の少ないことが望まれるからである。
なお、図４の二重の矩形内に示したのは従来のゴルフティーに備えられた支柱の寸法である。ゴルフティー１の外支柱３２は、ゴルフボールと接触する上端面の径が約半分、長さが約２倍となっている。そのため、打撃時に生じる反発や摩擦など抵抗の軽減の度合は、長さでは約５０％、太さでは約３０％、長さと太さの両方では約１５％となり、従来の支柱で形成されたゴルフティーと比較すると、格段の効果が実現できる。
【００２０】
内側ボール支持部４は、図３に示すように、内支柱基部４１と、この内支柱基部４１から上方に向かって直立する８本の内支柱４２とが一体に形成されている。また、内支柱基部４１の外周面には、支柱受け部２２の凹溝部２２２ａに対応した位置に突起部４１ａが形成されている。
内支柱の長さは外支柱３２よりも３．０〜４．０ｍｍ短い、つまり６．０〜７．０ｍｍ程度が適当である。
内支柱４２は、ゴルフティー１を地面に突き刺す際にボールを受けるためにのみ設けられたものであり、ボールにかかる圧力を受け止めることができるだけの強靭さが必要である。そのため、外側ボール支持部３よりも強度の高い樹脂を用いるか、同じ素材を用いるとしても太さを変えることが望ましい。また、ボールにかかる圧力を逃がさずに内支柱４２に直接働かせるように地面に対して直立していることが望ましい。
本来支柱はショット時にボールを支えるために備えられている。しかし、ゴルフティーを地中に突き刺す際にボールを支柱の上に載せた状態で動作をする人が多く、従来の支柱はショット時にボールを支えるだけでなく、ゴルフティーを地面に突き刺す時にもボールを支えていた。そのため、ある程度の強度を確保せざるをえず、ショット時の抵抗を削減するには限界があった。しかし、ゴルフティー１では、外側ボール支持部３と内側ボール支持部４は別体であるため、用途に応じた素材、形状および寸法にすることができる。そのため、ゴルフティー１を使用すれば、ショット時の抵抗を極力少なくできると同時に、ゴルフボールを載せた状態でゴルフティー１を地中に容易に突き刺すこともできるのである。
【００２１】
上記の要素からなるゴルフティー１の製造について、図３に従い説明する。
外側ボール支持部３の成形品を準備し、インサート成形によりティー本体２の成形と同時にティー本体２に外側ボール支持部３を一体化する。この一体化は、樹脂同士の溶融によって実現されるので、手作業は不要となって製造コストが安価となる。また、インサート成形によるので、ティー本体２と外側ボール支持部３とを異なる素材とすることができる。さらに、外側ボール支持部３は単独で成形するので複雑な金型は必要ない。
内側ボール支持部４についても成形品を準備し、ティー本体２の支柱受け部２２の環状溝２２２に、内側ボール支持部４を挿入する。支柱受け部２２の凹溝部２２２ａに内側ボール支持部４の突起部４１ａを嵌め込むことで内側ボール支持部４はティー本体２に固定される。
なお、ティー本体２に木や金属を用いる既存の製品もあるが、上記のように合成樹脂を用いれば次のメリットがある。すなわち、ティー本体２、外側ボール支持部３、内側ボール支持部４共々、すべて同一の業者が製造できるので、製造コストを抑えることができるのである。
【００２２】
以上のように、本実施形態のゴルフティー１は２重に支柱群が配置される。外輪に位置する外支柱３２は先端部でゴルフボールを支え、ショット時に抵抗感を持たせない。一方、内輪に位置する内支柱４２は細い外見にもかかわらず強度を優先させて形状と寸法を選択するので、かなりな圧力に耐える。このように２種類の細く長い支柱を装着したゴルフティー１は、ティー本体２の上部に細長い芝が整列してボールを安定した状態で載せているような外観を呈している。
なお、特許文献２のゴルフティーも外側と内側に２重に支柱を設けているが、内側の支柱は外側の支柱共々ティーアップの際にゴルフボールを安定した状態で支持することが目的である。つまり、ティー本体の上部にボールを支持する支柱を満遍なく配置したという意味であって、本発明の上述の目的とは全く異なる。
【００２３】
外支柱３２と内支柱４２は、支柱受け部２２に図５に示すように配置される。支柱受け部２２の上面の中心Ｏを円中心とする２つの同心円Ｃ１、Ｃ２上に外支柱３２と内支柱４２をそれぞれ等間隔に配置する。
ここで、いずれの支柱３２．４２も、円周上等間隔に配置したのは、ゴルフボールをしっかりと安定した状態で支持するためである。
また、外支柱３２と内支柱４２が中心Ｏを通る直線上に並ばないようにずらして配列することが望ましい。ティーショット時、ボールが内側ボール支持部４から浮いているのが通常であるが、内側ボール支持部４の先端部と多少接触したとしても打方向に並ぶ支柱の本数を少なくできるからである。
図６（１）は、図５のＸ−Ｘ断面図であり、図６（２）は、図５のＷ−Ｗ断面図である。
【００２４】
このゴルフティー１の使用について、プレーヤーがゴルフティーを地中に突き刺す動作と、ゴルフボールをティーアップする動作に分けて説明する。
【００２５】
まず、ゴルフティー１を地中に突き刺す時の使用法について、図７を参照しながら説明する。ゴルフボールＢを内支柱４２の上端部に押し当てゴルフボールＢを手のひらで包むようにしつつ、ティー本体２の側面外側に指をかけ、下向きの力ＰをゴルフボールＢにかける。このようにして、ゴルフティー１は、ゴルフボールＢを介して容易に地面Ｇに刺し込まれる。
図７に示すように、下向きの力ＰはゴルフボールＢを介して、各内支柱４２の先端部（破線の円で囲んだ部分）にかかるのであって、外支柱３２には、接触する程度であり、力Ｐは殆どかからない。そのため、外支柱３２には地面に刺した後、ゴルフボールＢが浮いた状態の位置に戻るだけの復元力があれば十分であり、かなりの力Ｐに耐えるような強度は不要である。このことによっても、ショット時の抵抗を低く抑えることができるのである。
【００２６】
次に、ティーアップのときの使用法について、図８を参照しながら説明する。
脚部２１を所望の深さまで地中に押し込んだならば、そのまま外支柱３２の上端部にゴルフボールＢを載せる。ここで、内支柱４２は外支柱３２よりも３．０〜４．０ｍｍだけ長さが短いので、ゴルフボールＢは８本の内支柱４２から浮いた状態にある。つまり、各外支柱３２の先端部（図中、破線の円で囲んだ部分）のみでゴルフボールを支えている。
この状態でティーショットすると、外支柱３２は細く柔軟なので、打撃時にゴルフボールＢ及びゴルフクラブ（図示せず）が受ける抵抗はきわめて少ないものとなる。しかも、もしクラブが当たったならば抵抗を受けるはずの内支柱４２とは接触すらしていないので、この点においてもゴルフクラブが通過するときの抵抗が少ない。そのうえ、各外支柱３２の先端部の面積や中途部分の断面積が非常に小さいので、各外支柱３２とゴルフボールＢとの間の抵抗が極めて小さく、ゴルフボールＢの飛距離への影響は殆どない。
【００２７】
上記の実施形態は、例示にすぎない。
例えば、外支柱３２の本数を８本としていたが、８本に限るものではなく、ゴルフボールＢの重量や外側ボール支持部３の材質などを考慮し、ゴルフボールＢを支持できるだけの必要最小限の本数とすればよい。
内支柱の本数についても同様である。
さらに、内支柱については、１つの円周上（図５では円Ｃ２）に等間隔で配置していたが、図９に示すように２つの同心円（Ｃ２とＣ３）上に配置してもよい。もし各円に同じ本数を配置するならば、内支柱の本数は２倍になる。とするならば、ゴルフティー１を地中に突き刺す時にゴルフボールＢを介して各内支柱にかかる力が軽減され、内支柱をきわめて細くすることが可能となる。本発明では、内支柱の長さを外支柱よりも短くして、ショット時にゴルフボールに触れないようにすることが重要なのであって、１つの円周上に並んでいるのか２重の円周上に並んでいるのかは問題とならないのである。
【００２８】
内支柱の形状についても、上記の実施の形態以外にも考え得る。
本発明は、ボールをティーにあてがい、ティーの台座部分に載せて地中に差し込む支柱（内側ボール支持部）と、ショットする際にボールを載せるだけの支柱（外側ボール支持部）の２種類を有するゴルフティーを安価でデザイン性も良く提供することが目的である。外支柱は、芝草のように長く柔軟であることが要求されるが、内支柱はティーを地中に差し込むためにのみ用いられる。そのため、内支柱はその役割を果たせるならば特に形状に制限はない。
図１０に示すのは、内支柱の一つの変形例である。
【００２９】
図１０（１）の斜視図に示す内側ボール支持部１４は、各内支柱１４２の形状を断面が円弧状の板状にすることで本数を少なくするものである（図１０に示す例では４本である）。内側ボール支持部１４は、１個以上任意個数の内支柱１４２と内支柱基部１４１が一体成形されている。図１０の（２）は、支柱受け部２２に４本の内支柱１４２を装着した状態を示すが、内支柱１４２の本数は形状や材質の硬度を勘案して決めればよい。なお図１０（２）において、平行な線を付してあるのが内支柱１４２である。
このように、内支柱は細い棒状に限らず、板状でもよい。なお、内支柱を筒状にすることもできる。
【００３０】
次に、第２の実施形態のゴルフティー５について、図１１を参照しながら説明する。
上記の第１の実施形態では、ティー本体２に別個に成形してあった内側ボール支持部４をはめ込んでいた。しかし、内側ボール支持部をティー本体と一体的に成形してもよい。内側ボール支持部はティー本体と同様に硬くて高強度な樹脂を使用することができるからである。
図１１に示すゴルフティー５は、ティー本体６と外側ボール支持部７とからなる。
外側ボール支持部７は、略筒状の外支柱基部７１と8本の外支柱７２が一体成形されている。外支柱７２の寸法と形状は第１の実施形態の外支柱３２と同様である。また、外側ボール支持部７には第１の実施形態の外側ボール支持部３と同様に強靭かつ柔軟性のある素材を用いる。
ティー本体６は、図１１の（１）に示すように、地面に突き刺す脚部６１と、この脚部６１の上部に連設する支柱受け部６２と、支柱受け部６２の上部に形成されたフランジ部６２ａから上方に突出する複数の内支柱６３とを備える。支柱受け部６２には、脚部６１と連設する下部に凹溝部６２ｂが設けられている。
【００３１】
ゴルフティー５は次のように製造される。
外側ボール支持部７は、ティー本体６とは別に成形される。
脚部６１と支柱受け部６２と複数の内支柱６３とが一体成形されたティー本体６は、外側ボール支持部７の外支柱基部７１の上方から挿通される。支柱受け部６２の外周面に設けられた凹溝部６２ｂが外支柱基部７１の内周面に設けられた突起部７１ａに嵌め込まれると、これでティー本体６は外側ボール支持部７と連結しゴルフティー５が作成された。このときフランジ部６２は外支柱基部７１の上端部の内周面と当接する。この実施形態は、２つの部品６，７を組み立てるだけなので、製造コストを低く抑えることができる。
ゴルフティー５は、ゴルフティー１とは製造方法が異なるが、２種類の支柱を有する点で異なるところはない。要は、本発明のゴルフティーは、地面へ突き刺す時にボールを支えるだけの機能とショット時にボールを支えるだけの機能とを異なる支柱に持たせたことに特徴があるのである。
なお、この実施の形態においても複数ある内支柱は同一の円周上に限らず２重の円周上に並んでいてもよい。
【００３２】
本発明のゴルフティーは、構成する各部材を合成樹脂で成形することが可能である。最近は、透明な合成樹脂が出回っているので、本発明のゴルフティーにもこれを用いるとよい。ゴルフ場の芝の上に突き刺してゴルフボールを載せると、あたかも芝の上に直接ゴルフボールが載っているように見える。プレーヤーも見学者も、自然の下でのスポーツを十分に実感し、満喫できるのである。
また、最近は女性のゴルファーも増加していることから、ゴルフティーにも美的要素が求められる。そのため、ティー本体２には透明な樹脂を、外側ボール支持部３や内側ボール支持部４には緑色の樹脂を用いて芝草を連想させる、といったように色彩面で工夫をするとよい。このような色彩面での自由度が確保できるのは、少なくともティー本体２と外側ボール支持部３とを別々に成形するからである。
【産業上の利用可能性】
【００３３】
本願発明のゴルフティーは、打撃時の抵抗を極力少なくでき、細くて長い支柱に載ったボールはあたかも空中に浮いた状態に近い状況で打てる。そのため、心地よい打球感が得られる。しかも飛距離がのび、最近の大型のゴルフヘッドにも対応できる。さらに、地面へ容易に突き刺すことができる。このような利点を備えたゴルフティーは、多くのゴルフ愛好者からの需要が期待できる。
【符号の説明】
【００３４】
１：ゴルフティー
２：ティー本体
２１：脚部
２２：支柱受け部
３：外側ボール支持部
３２：外支柱
４：内側ボール支持部
４２：内支柱
５：ゴルフティー
６：ティー本体
６１：脚部
６２：支柱受け部
６３：内支柱
７：外側ボール支持部
７１：外支柱基部
７２：外支柱
Ｂ：ゴルフボール
Ｇ：地面
【図１】
2017169670.tif 000003
【図２】
2017169670.tif 000004
【図３】
2017169670.tif 000005
【図４】
2017169670.tif 000006
【図５】
2017169670.tif 000007
【図６】
2017169670.tif 000008
【図７】
2017169670.tif 000009
【図８】
2017169670.tif 000010
【図９】
2017169670.tif 000011
【図１０】
2017169670.tif 000012
【図１１】
2017169670.tif 000013
【図１２】
2017169670.tif 000014